(57)【要約】【課題】投射型テレビジョン受像機においては、ランプを消灯したあとランプを冷却するようにしているが、十分に冷却することができずに再点灯させるとランプ不点灯といった不都合が発生することがあった。【解決手段】ランプ消灯後に冷却するのではなく、光源ランプを全光状態から調光状態にして光源ランプの消費電力を減少して光源ランプの温度を低下させて冷却することで、光源ランプの冷却を行ないながら、冷却が所定の時間になるまでの間にユーザが電源オンした場合には光源ランプを全光状態にし、即座に光源ランプを正常に点灯することができる。【選択図】図３
2006039248.tif 000002
【特許請求の範囲】
【請求項１】
光源ランプからの光を利用して映像を投射表示するとともに、前記光源ランプを冷却するためのファンを有する投射型テレビジョン受像機において、電源のオンオフを指示する操作部と、前記光源ランプの点灯を制御するランプ電源回路と、前記ファンを駆動するファン制御回路と、前記ランプの調光を制御させるようにしたことを特徴とする投射型テレビジョン受像機。
【発明の詳細な説明】
【技術分野】
【０００１】
本発明は、投射型テレビジョン受像機に関するものである。
【背景技術】
【０００２】
投射型テレビジョン受像機においては、光源からの光を利用して映像を、投射レンズを介してスクリーンに映像を投射するようにしている。
【０００３】
図３は従来の投射型テレビジョン受像機の構成を示すブロック図であり、１はマイクロコンピュータ（以下マイコン３０１と称す）であり、投射型テレビジョン受像機の動作を制御するものである。マイコン３０１には、リモコンやキー入力回路等の操作部３０２からの指示を受ける入力回路３０３が接続されるとともに、電源回路３０４が接続されている。
【０００４】
また光源ランプ３０５の点灯や消灯を行なうランプ電源回路３０６と、前記ランプ３０５を冷却するためのファン３０７を駆動制御するファン制御回路３０８を有し、これら回路の動作を、マイコン３０１が制御するようにしている。
【０００５】
上記光源としては一般的にメタルハライドランプやハロゲンランプといった高電圧放電ランプが用いられているが、ランプには高電圧をかけて点灯させる必要があるため、放電ランプは、電圧を印加する時点でのランプの温度が所定温度以下でないと、ランプを点灯させることができないため、ランプの消灯後にランプが温まっている状態で再点灯すると、ランプが点灯しないことがあった。
【０００６】
このため、従来の投射型テレビジョン受像機においては、電源オフの操作後、ランプを消灯してファンを一定時間回し続けてランプを冷却するようにし、その後ファンを停止し電源をオフするようにしている。
【０００７】
しかしながら、ランプ消灯後の冷却中の電源オンでの再点灯には対応できなかった。
【０００８】
また、ユーザがプロジェクタのＡＣ電源を抜いた場合や、停電などの突然のＡＣ電源の遮断時の時刻を記憶し、その記憶した時刻を基にＡＣ電源がどれくらいの期間遮断されていたかをチェックし冷却期間を確保する方法が示されている（例えば、特許文献１参照）。しかしながら、前記冷却期間を確保する方法では、冷却期間中の電源オンに対処しようがなかった。
【特許文献１】特開２００３−００５２８７号公報
【発明の開示】
【発明が解決しようとする課題】
【０００９】
このように従来の投射型テレビジョン受像機においては、電源オフの操作後、ランプを消灯したあともファン３０７を一定時間回し続けてランプを冷却するようにしているが、ユーザが冷却中に電源を再度オンした場合はランプを十分に冷却することができずにランプを再点灯させてしまうため、ランプ不点灯といった不都合が発生することがあった。
【課題を解決するための手段】
【００１０】
本発明は、ランプ冷却期間中にユーザが電源オンした場合にもランプを正常に点灯するようにした投射型テレビジョン受像機を提供することを目的とする。
【発明の効果】
【００１１】
以上のように本発明のランプ制御により、電源オフ後のランプ冷却期間中の電源オンを実現することが可能となる。
【発明を実施するための最良の形態】
【００１２】
以下本発明の実施の形態について、図面を参照しながら説明する。
【００１３】
（実施の形態１）
図１は、本発明の投射型テレビジョン受像機の全体構成を示すブロック図である。図１において、１０１はマイクロコンピュータ（以下マイコン１０１と称す）であり、投射型テレビジョン受像機の動作を制御するものである。マイコン１０１には、リモコンやキー入力回路等の操作部１０２からの指示を受ける入力回路１０３が接続されるとともに、電源回路１０４が接続されている。また光源ランプ１０５の点灯や消灯を行なうランプ電源回路１０６と、前記光源ランプ１０５を冷却するためのファン１０７を駆動制御するファン制御回路１０８、及び前記光源ランプ１０５を全光状態と光量を抑える調光を制御する調光制御回路１０９の動作を、マイコン１０１が制御するようにしている。
【００１４】
次に本発明の各実施形態の動作について説明する。図２において、ステップ２０１〜２０５は、プロジェクタの電源オン時の動作であり、ステップ２０６〜２０９は電源オフ時の動作であり、ステップ２１１はランプ全光制御の動作であり、ステップ２１２はランプ調光制御の動作である。
【００１５】
ステップ２０１でマイコン１０１は、リモコンあるいはキー入力回路からの入力の変化を周期的にチェックし、ステップ２０２で電源オンの指示があったか否かを判断する。電源オンの指示があった場合、ステップ２０３でファン電源をオンさせる。これによりファン制御回路１０８は先ずファン１０７を回転動作させる。次にステップ２０４では光源ランプ１０５が消灯されてからの経過時間（つまり冷却期間）が規定値か否かを判断し、規定値であればステップ２０５でランプ電源をオンにする。またステップ２０４は、ランプの冷却期間が規定値に達していない時はステップ２１１でランプ状態を全光状態にする。これによりランプ調光制御９はランプ５を全光状態にするものである。
【００１６】
こうしてファン２７と光源ランプ２５がオンになって正常の動作となるが、このような状況において、ステップ１でマイコン２１はリモコンあるいはキー入力回路からの入力も変化を周期的にチェックし、ステップＳ２で電源オフの指示があった場合、ステップＳ１１でランプ調光状態にする。これによりランプ調光制御回路１０９は光源ランプ１０５を調光状態にするものである。
【００１７】
また、ステップ２０１でマイコン１０１はリモコンあるいはキー入力回路からの入力変化を周期的にチェックし、入力の変化がない場合、ステップ２０６でセット電源がオフモードであることを判別し、ステップ２０７で冷却期間のカウントアップを行なう。
【００１８】
次にステップ２０８において光源ランプ１０５の冷却期間が規定値に達したことを検出し、次のステップ２０９で光源ランプ電源をオフにする。これにより光源ランプ電源回路１０６を制御して光源ランプ１０５を消灯させる。
【００１９】
また、ステップ２０８で光源ランプの冷却期間が規定値に達していない時は光源ランプ調光状態で冷却期間を継続するようにしている。
【００２０】
こうして電源オンモードから電源オフモードに移行した場合、ランプ電源を即座にオフするのではなく、ステップ２１２で調光状態にして冷却するため、冷却時間が規定値に達していない場合に、再び電源がオンモードにされたとしても、ステップ２１１で光源ランプ状態を全光状態にするだけで光源ランプを正常に点灯することができる。
【００２１】
以上のようにすることで、ランプ消灯後に冷却するのではなく、光源ランプを全光状態から調光状態にして光源ランプの消費電力を減少して光源ランプの温度を低下させて冷却することで、光源ランプの冷却を行ないながら、冷却が所定の時間になるまでの間にユーザが電源オンした場合には光源ランプを全光状態にし、即座に光源ランプを正常に点灯することができる。
【産業上の利用可能性】
【００２２】
本発明の投射型テレビジョン受像機は、ランプ制御により、電源オフ後のランプ冷却期間中の電源オンを実現することが可能となるため、プロジェクタに有用である。
【図面の簡単な説明】
【００２３】
【図１】本発明の投射型テレビジョン受像機のブロック構成図
【図２】本発明の実施の形態１の動作を示すフローチャート
【図３】従来の投射型テレビジョン受像機のブロック構成図
【符号の説明】
【００２４】
１０１    マイクロコンピュータ
１０２    操作部
１０３    入力回路
１０４    電源回路
１０５    光源ランプ
１０６    ランプ電源回路
１０７    ファン
１０８    ファン制御回路
１０９    ランプ調光制御回路
【図１】
2006039248.tif 000003
【図２】
2006039248.tif 000004
【図３】
2006039248.tif 000005